【事件の表示】
　特願２００６−５００９２５「高速再生ＤＶＤ」拒絶査定不服審判事件〔平成１６年　７月２９日国際公開、ＷＯ２００４／０６４０４５、平成１８年　８月３１日国内公表、特表２００６−５２００５８〕について、次のとおり審決する。
【結　論】
　本件審判の請求は、成り立たない。
【理　由】
第１　手続の経緯
　本件審判の請求に係る特許出願（以下「本願」という。）は、平成１６年１月１３日（パリ条約による優先権主張　２００３年１月１３日（ＵＳ）アメリカ合衆国）を国際出願日とする出願であって、平成１７年９月１３日付けで明細書及び請求の範囲の翻訳文が提出され、平成１９年７月１０日付け拒絶理由通知に対して、同年１０月２４日付けで手続補正がされたが、同年１１月３０日付けで拒絶査定がされ、これに対し、平成２０年３月３日付けで拒絶査定不服審判が請求されるとともに、同年４月２日付けで手続補正がされた。
　その後、平成２１年６月１７日付けで上申書の提出がされ、平成２２年６月４日付けで前置報告書を利用した審尋を行ったところ、平成２２年１０月８日付けで回答書が提出されたものである。
　
第２　平成２０年４月２日付け手続補正についての補正却下の決定
［補正却下の決定の結論］
　平成２０年４月２日付けの手続補正を却下する。
　
［理　由］
１．本件補正
　平成２０年４月２日付けの手続補正（以下、「本件補正」という。）は、特許請求の範囲についてするもので、本件補正前に、
　
（ａ）「【請求項１】
　メディアプレイヤへのメディアの挿入時に、前記メディアのコンテンツを、ユーザとの相互作用なしに自動的に再生する方法において、
　起動時に、単一メディアのメインメニューを表示し、該メニューの表示開始後に、予め決められたタイムアウトが存在するステップと、
　ユーザとの相互作用が何もなしに、前記予め決められたタイムアウトが経過した後に、フィーチャ・プレゼンテーションを含む前記メディアのコンテンツの再生を、割り込みなしに順次進めるステップと
を含むことを特徴とする方法。
　　【請求項２】
　請求項１に記載の方法において、前記メインメニューの表示前に、少なくとも１つの予告編をユーザに対して表示することを特徴とする方法。
　　【請求項３】
　請求項１に記載の方法において、前記フィーチャ・プレゼンテーションの表示後に、少なくとも１つのスニークピークをユーザに対して表示することを特徴とする方法。
　　【請求項４】
　請求項１に記載の方法において、前記フィーチャ・プレゼンテーションの表示後に、少なくとも１つのアウトテイクをユーザに対して表示することを特徴とする方法。
　　【請求項５】
　メディアプレイヤにおいてメディアを再生することによって視聴することができる複数のデータブロックが格納されたメディアにおいて、
　前記メディアプレイヤへの前記メディアの挿入時に、ユーザとの相互作用なしに、前記メディアの複数のデータブロックを、予め決められた順序で割り込みなしに再生することを前記メディアプレイヤに命令するための第１命令集合と、
　前記メディアの複数のデータブロックを再生する順序を決定するユーザコマンドに応じて、前記メディアの複数のデータブロックを再生することを前記メディアプレイヤに命令するための第２命令集合とを具えることを特徴とするメディア。
　　【請求項６】
　請求項５に記載のメディアにおいて、前記ユーザコマンドは、ユーザによってメニューから選択されることを特徴とするメディア。
　　【請求項７】
　請求項５に記載のメディアにおいて、該メディアはデジタルビデオディスクであることを特徴とするメディア。
　　【請求項８】
　請求項５に記載のメディアにおいて、前記複数のデータブロックは少なくとも１つの映画を含むことを特徴とするメディア。
　　【請求項９】
　請求項５に記載のメディアにおいて、前記複数のデータブロックは少なくとも１つの予告編を含むことを特徴とするメディア。
　　【請求項１０】
　請求項５に記載のメディアにおいて、前記複数のデータブロックは少なくとも１つのスニークピークを含むことを特徴とするメディア。
　　【請求項１１】
　メディアの複数のデータブロックを再生する方法であって、前記複数のデータブロックがフィーチャ・プレゼンテーションを含む方法において、
　前記メディアの複数のデータブロックを、予め決められた順序で割り込みなしに、ユーザとの相互作用なしに自動的に再生するステップと、
　ユーザからの入力の受信時に、前記メディアの複数のデータブロックの前記予め決められた順序での再生に割り込むステップと、
　メニューをユーザに提供して、ユーザが視聴したい前記メディアの複数のデータブロックをユーザが選択できるようにするステップと、
　ユーザの前記メニューからの選択に応答して、前記メディアの複数のデータブロックを再生するステップと
を含むことを特徴とする方法。
　　【請求項１２】
　請求項１１に記載の方法において、前記メディアはデジタルビデオディスクであることを特徴とする方法。
　　【請求項１３】
　請求項１２に記載の方法において、前記デジタルビデオディスクの複数のデータブロックは、デジタルビデオディスクプレイヤを使用して再生されることを特徴とする方法。
　　【請求項１４】
　請求項１１に記載の方法において、前記複数のデータブロックは少なくとも１つの映画を含むことを特徴とする方法。
　　【請求項１５】
　請求項１１に記載の方法において、前記複数のデータブロックは少なくとも１つの予告編を含むことを特徴とする方法。
　　【請求項１６】
　請求項１１に記載の方法において、前記複数のデータブロックは少なくとも１つのスニークピークを含むことを特徴とする方法。
　　【請求項１７】
　メディアプレイヤへのメディアの挿入時に、メディアの複数のデータブロックを、ユーザとの相互作用なしにユーザフレンドリな方法で再生する方法において、
　起動時に、視聴すべき前記メディアの複数のデータブロックを選択する単一のメインメニューをユーザに提供するステップであって、前記単一のメインメニューは、前記メディアの複数のデータブロックを予め決められた順序で割り込みなしに再生するための第１メニュー選択肢と、前記メディアの複数のデータブロックの部分集合を対話的に視聴するためのユーザ定義可能な第２メニュー選択肢とを含むステップと、
　ユーザによる前記第１メニュー選択肢または前記第２メニュー選択肢のいずれかの選択を、予め決められた期間内に受信しない場合に、前記メディアの複数のデータブロックを、前記第１メニュー選択肢に対応する予め決められた順序で割り込みなしに自動的に再生するステップと
を含むことを特徴とする方法。
　　【請求項１８】
　請求項１７に記載の方法において、前記予め決められた期間後にユーザから入力を受けると、前記メディアの複数のブロックの前記予め決められた順序での再生に割り込むステップをさらに含むことを特徴とする方法。
　　【請求項１９】
　請求項１８に記載の方法において、ユーザにメニューを提供して、ユーザが視聴したい前記メディアの複数のデータブロック、又は、前記メディアの複数のデータブロックの前記予め決められた順序での視聴を続けることのいずれかをユーザが選択できるようにするステップをさらに含むことを特徴とする方法。
　　【請求項２０】
　請求項１９に記載の方法において、前記メディアの複数のデータブロックの前記予め決められた順序での再生は、前記割り込みの時点から再開することを特徴とする方法。
　　【請求項２１】
　請求項１９に記載の方法において、ユーザが前記メニューから選択した前記メディアの複数のデータブロックを再生するステップをさらに含むことを特徴とする方法。
　　【請求項２２】
　請求項２１に記載の方法において、ユーザが再生に割り込んで前記メニューを見る場合に、ユーザがその前に前記メニューから選択した前記メディアの複数のデータブロックの再生を、前記割り込みの時点から再開するステップをさらに含むことを特徴とする方法。
　　【請求項２３】
　メディアのコンテンツを表示するモードを選択するための選択肢をユーザに提供する方法であって、前記メディアのコンテンツ中にフィーチャ・プレゼンテーションが含まれる方法において、
　命令の第１集合にしたがって前記メディアのコンテンツを第１モードで表示するステップであって、前記命令の第１集合は、前記メディアのメディアプレイヤへの挿入時に、ユーザとの相互作用なしに、前記メディアのコンテンツを予め決められた順序で表示する命令であるステップと、
　ユーザ入力の受信に応答して第２モードを選択するステップであって、前記第２モードでは、ユーザが表示すべき前記メディアのコンテンツを選択することができるステップと、
　前記ユーザ入力の受信に応答して、前記第２モードにおいて、ユーザが選択した命令の第２集合にしたがって前記メディアのコンテンツを表示するステップと
を含むことを特徴とする方法。
　　【請求項２４】
　請求項２３に記載の方法において、前記命令の第２集合は、ユーザが前記メディアのコンテンツを視聴する順序を決定することを可能にすることを特徴とする方法。
　　【請求項２５】
　請求項２３に記載の方法において、前記メディアはデジタルビデオディスクであることを特徴とする方法。
　　【請求項２６】
　請求項２３に記載の方法において、前記ユーザ入力は、メニューからの選択を行うことによって実行されることを特徴とする方法。
　　【請求項２７】
　内部に格納された複数の命令を実行すべく構成されたメディアプレイヤにおいて、
　前記複数の命令は、
　前記メディアプレイヤによるメディアの受入時に、前記メディアの複数のデータブロックを予め決められた順序で割り込みなしに自動的に再生することを、前記メディアプレイヤに命令するための命令の第１集合であって、前記メディアの複数のデータブロックはフィーチャ・プレゼンテーションを含み、前記予め決められた順序は、ユーザコマンドに応答して変更されない固定順序である命令の第１集合と、
　前記メディアの複数のデータブロックを再生する順序を決定するユーザコマンドに応答して、前記メディアの複数のデータブロックを再生することを、前記メディアプレイヤに命令するための命令の第２集合と
を含むことを特徴とするメディアプレイヤ。
　　【請求項２８】
　内部に格納された複数の命令を実行すべく構成されたメディアプレイヤにおいて、
　前記複数の命令は、
　前記メディアプレイヤによるメディアの受入時に、前記メディアの複数のデータブロックを予め決められた順序で割り込みなしに自動的に再生することを、前記メディアプレイヤに命令するための命令の第１集合であって、前記メディアの複数のデータブロックはフィーチャ・プレゼンテーションを含み、前記予め決められた順序は、ユーザコマンドを必要としない固定順序である命令の第１集合と、
　前記メディアの複数のデータブロックを再生する順序を決定するユーザコマンドに応答して、前記メディアの複数のデータブロックを再生することを、前記メディアプレイヤに命令するための命令の第２集合と
を含むことを特徴とするメディアプレイヤ。」
　
とあったものを、
　
（ｂ）「【請求項１】
　メディアプレイヤへのメディアの挿入時に、前記メディアのコンテンツを、ユーザとの相互作用なしに自動的に再生する方法において、
　起動時に、
高速再生の選択肢及び標準再生の選択肢をユーザに提示することによってユーザとの相互作用を勧誘する
表示後
　ユーザとの相互作用が何もなしに、前記予め決められたタイムアウトが経過した後に、フィーチャ・プレゼンテーション
の動画像
高速再生で
を含むことを特徴とする方法。
　　【請求項２】
　請求項１に記載の方法において、前記メインメニューの表示前に、少なくとも１つの予告編
の動画像
　　【請求項３】
　請求項１に記載の方法において、前記フィーチャ・プレゼンテーション
の動画像
の動画像
　　【請求項４】
　請求項１に記載の方法において、前記フィーチャ・プレゼンテーション
の動画像
の動画像
　　【請求項５】
　メディアプレイヤにおいてメディアを再生することによって視聴することができる複数のデータブロックが格納されたメディア
であって、前記複数のデータブロックがフィーチャ・プレゼンテーションの動画像を含むメディア
　前記メディアプレイヤへの前記メディアの挿入時に、ユーザとの相互作用なしに、前記メディアの
前記フィーチャ・プレゼンテーションの動画像を含む前記
高速再生で
の高速再生
　前記メディアの
前記
応答して
前記
標準再生で
の標準再生
　　【請求項６】
　請求項５に記載のメディアにおいて、前記ユーザコマンドは、ユーザによってメニューから選択されることを特徴とするメディア。
　　【請求項７】
　請求項５に記載のメディアにおいて、該メディアはデジタルビデオディスクであることを特徴とするメディア。
　　【請求項８】
　請求項５に記載のメディアにおいて、前記複数のデータブロックは少なくとも１つ
の映画
　　【請求項９】
　請求項５に記載のメディアにおいて、前記複数のデータブロックは少なくとも１つの予告編
の動画像
　　【請求項１０】
　請求項５に記載のメディアにおいて、前記複数のデータブロックは少なくとも１つのスニークピーク
の動画像
　　【請求項１１】
　メディアの複数のデータブロックを再生する方法であって、前記複数のデータブロックがフィーチャ・プレゼンテーション
の動画像
　
メディアプレイヤへの前記メディアの挿入時に、高速再生の選択肢及び標準再生の選択肢を提供するメニューをユーザに対して表示するステップと、　前記メディアプレイヤへの前記メディアの挿入時から予め決められた時間内に、前記高速再生の選択肢も前記標準再生の選択肢もユーザによって選択されない場合に、
前記フィーチャ・プレゼンテーションの動画像を含む前記
ユーザとの相互作用なしに自動的に、
高速再生で
　ユーザからの入力の受信時に、前記メディアの
前記
　メニューをユーザに
提示
前記
を選
　ユーザ
による
ユーザが選択した
前記
標準再生で
を含むことを特徴とする方法。
　　【請求項１２】
　請求項１１に記載の方法において、前記メディアはデジタルビデオディスクであることを特徴とする方法。
　　【請求項１３】
　請求項１２に記載の方法において、前記デジタルビデオディスクの複数のデータブロックは、デジタルビデオディスクプレイヤを使用して再生されることを特徴とする方法。
　　【請求項１４】
　請求項１１に記載の方法において、前記複数のデータブロックは少なくとも１つの映画
の動画像
　　【請求項１５】
　請求項１１に記載の方法において、前記複数のデータブロックは少なくとも１つの予告編
の動画像
　　【請求項１６】
　請求項１１に記載の方法において、前記複数のデータブロックは少なくとも１つのスニークピーク
の動画像
　　【請求項１７】
　メディアプレイヤへのメディアの挿入時に、
前記
であって、前記複数のデータブロックがフィーチャ・プレゼンテーションの動画像を含む
　
前記挿入時
前記
ための
前記フィーチャ・プレゼンテーションの動画像を含む前記
高速再生で
の高速再生の
前記
合の
対話的視聴を行うための第２の標準再生の
　ユーザによる前記第１
の高速再生の
の標準再生の
前記フィーチャ・プレゼンテーションの動画像を含む前記
自動的に
の高速再生の
前記
高速再生で
を含むことを特徴とする方法。
　　【請求項１８】
　請求項１７に記載の方法において、前記予め決められた期間後にユーザから
の
受信すると
前記
　　【請求項１９】
　請求項１８に記載の方法において、ユーザにメニューを提供して、ユーザが視聴したい前記メディアの
前記
を視聴すること
前記
　　【請求項２０】
　請求項１９に記載の方法において、前記メディアの
前記
　　【請求項２１】
　請求項１９に記載の方法において、ユーザが前記メニューから選択した前記メディアの
前記
標準再生で
　　【請求項２２】
　請求項２１に記載の方法において、ユーザが再生に割り込んで前記メニューを見る場合に、ユーザがその前に前記メニューから選択した前記メディアの
前記
　　【請求項２３】
　メディアのコンテンツを表示するモードを選択するための選択肢をユーザに提供する方法であって、前記メディアのコンテンツ中にフィーチャ・プレゼンテーション
の動画像
　命令の第１集合
に従って
高速再生の選択肢及び標準再生の選択肢を提供する
前記フィーチャ・プレゼンテーションを含む
、
前記高速再生の選択肢に従って
　
前記標準再生の選択肢を選択する
　前記ユーザ入力の受信に応答して、前記第２モードにおいて、ユーザが選択した命令の第２集合
に従って、
標準再生の選択肢に従って
を含むことを特徴とする方法。
　　【請求項２４】
　請求項２３に記載の方法において、前記命令の第２集合は、ユーザが前記メディアのコンテンツを視聴する順序を決定することを可能にすることを特徴とする方法。
　　【請求項２５】
　請求項２３に記載の方法において、前記メディアはデジタルビデオディスクであることを特徴とする方法。
　　【請求項２６】
　請求項２３に記載の方法において、前記ユーザ入力は、メニューからの選択を行うことによって実行されることを特徴とする方法。
　　【請求項２７】
　内部に格納された複数の命令を実行すべく構成されたメディアプレイヤにおいて、
　前記複数の命令は、
　前記メディアプレイヤによるメディアの受入時に、
高速再生の選択肢及び標準再生の選択肢を提供するメニューを表示し、前記高速再生の選択肢も前記標準再生の選択肢もユーザによって選択されない場合に自動的に、
高速再生で
前記
の動画像
　
前記標準再生の選択肢がユーザによって選択された場合に、
前記
前記
標準再生で
る命
を含むことを特徴とするメディアプレイヤ。
　　【請求項２８】
　内部に格納された複数の命令を実行すべく構成されたメディアプレイヤにおいて、
　前記複数の命令は、
　前記メディアプレイヤによるメディアの受入時に、
高速再生の選択肢及び標準再生の選択肢を提供するメニューを表示し、予め決められた時間内に前記高速再生の選択肢も前記標準再生の選択肢もユーザによって選択されない場合に自動的に前記高速再生の選択肢を選択して、
自動的に、
高速再生で
前記
、
の動画像
、ユ
　前記メディアの
前記
標準再生
を含むことを特徴とするメディアプレイヤ。」
　
としようとするものである。（なお、下線は当審にて付与した。）
　
　
２．新規事項の追加について
　本件補正は、請求項１に、起動時におけるメインメニューの表示について、「起動時に、
高速再生の選択肢及び標準再生の選択肢をユーザに提示することによってユーザとの相互作用を勧誘する
　ここで、上記「起動時」は、何の起動時なのか特定されていないが、補正後の請求項１に係る発明の「メディアプレイヤへのメディアの挿入時に、前記メディアのコンテンツを、ユーザとの相互作用なしに自動的に再生する方法において」、及び、明細書からすれば、メディアプレイヤの起動時（すなわち、メディアプレイヤの電源投入時）ではなく、メディアプレイヤへのメディアの挿入時の、再生（処理）の起動時を意味するものと解される。
　これに対し、国際出願日における国際特許出願の明細書及び請求の範囲の翻訳文（平成１７年９月１３日付け）、並びに国際出願日における図面（図面の中の説明を除く。）(以下、「当初明細書等」という。)を検討すると、【００２７】〜【００２９】段落には、次の記載がある。（なお、下線は当審にて付与した。）
「【００２７】
  
図４は、ＤＶＤのコンテンツを事前順序付け視聴フォーマットにおいて表示する命令がＤＶＤに格納される実施例を例示する。
警告４０２が表示される。
予告編４０４が警告４０２に続く。
特徴プレゼンテーション４０６が予告編４０４に続く
【００２８】
  一実施例において、ユーザに利用可能なインタラクティブセグメントリスト４２４が次に表示される。標準ボーナスメニュー４２６が次に表示される。（中略）
【００２９】
  （中略）他の実施例において、ユーザが選択を行わない場合、タイムアウトが生じ、高速再生メインメニュー４３２が表示される。用語「高速再生」は、前記事前順序付け視聴モードを示すのに使用される。当業者は、種々の用語を使用し、前記事前順序付け視聴モードを示すことができることを理解するであろう。
高速再生メインメニュー４３２は、ユーザに、前記ＤＶＤを前記高速再生モード又は標準ＤＶＤ視聴モードのいずれにおいて視聴するかの選択を与える
　
　この記載及び図４からすると、高速再生モード又は標準ＤＶＤ視聴モードのいずれにおいて視聴するかの選択を与える高速再生メインメニュー４３２は、「高速再生の選択肢及び標準再生の選択肢をユーザに提示することによってユーザとの相互作用を勧誘するメインメニュー」といえるものの、これは、起動時ではなく、特徴プレゼンテーション４０６を含むコンテンツの再生終了後に表示されるものである。
　また、【００２７】〜【００２９】段落の記載及び図４からすると、高速再生メインメニュー４３２は、事前順序付け視聴モードによって表示されるものであるが、事前順序付け視聴モードは、起動時（メディアプレイヤへのメディアの挿入時。）には、メニューを表示しないものである。（さらに言えば、事前順序付け視聴モードは、標準ＤＶＤ視聴モードと比較すると、ＤＶＤの挿入時にメインメニューを表示せずに再生を行う点に特徴があるといえる。）
　
　一方、当初明細書の【００１５】段落には、事前順序付け視聴モードにおいてユーザがＤＶＤと相互作用する場合のメニューについて、次の記載がある。（なお、下線は当審にて付与した。）
「【００１５】
　図１は、前記事前順序付け視聴モードがデフォルトモードの場合の前記２モード構成の前記事前順序付け視聴モードと前記標準ＤＶＤ視聴モードとの間で選択するプロセス１００を例示する。プロセスブロック１０２において、ＤＶＤはＤＶＤプレイヤに挿入される。前記
ＤＶＤが前記ＤＶＤプレイヤに挿入された後、前記ＤＶＤは自動的に再生を開始する
前記事前順序付け視聴モード中、プロセス１００は、決定ブロック１０６を周期的にチェックし、ユーザが前記ＤＶＤと相互作用したか否かを決定する。
依然として他の実施例において、ユーザが前記ＤＶＤと相互作用する場合、メニューが表示され、ユーザに、前記事前順序付け視聴モードを続けるか、又は、前記標準ＤＶＤモードに進むかの選択を与える。
　
　この記載からすると、事前順序付け視聴モードにおいて、ユーザがＤＶＤと相互作用する場合、メニューが表示され、ユーザに、前記事前順序付け視聴モードを続けるか、又は、前記標準ＤＶＤモードに進むかの選択を与えるものの、このメニューは、起動時ではなく、再生中の、ユーザがＤＶＤと相互作用する時点で表示されるものである。
　さらに、上記メニューは、メインメニューとされていない。
　
　他方、当初明細書の【００１８】、【００２１】、【００２２】段落には、標準ＤＶＤ視聴モードのメインメニュー３０６について、次の記載がある。（なお、下線は当審にて付与した。）
「【００１８】
　図２は、前記
標準ＤＶＤ視聴モードがデフォルトモードである場合
前記ＤＶＤは前記ＤＶＤプレイヤに挿入される。プロセスブロック２０４において、前記ＤＶＤは、前記標準視聴モードにおいて視聴される。したがって、前記標準視聴モードは、ユーザが前記ＤＶＤと相互作用することを要求する。
ユーザが、前記時間期間が終わる前にメニュー選択を行った場合、タイムアウトは存在せず、前記ＤＶＤは、プロセスブロック２０４において、標準ＤＶＤ視聴モードにおいて再生する。
「【００２１】
　
図３は、ＤＶＤのコンテンツを標準視聴フォーマットにおいて表示する命令が前記ＤＶＤにおいて格納される実施例を例示する。
警告３０２が表示される
次に予告編３０４が表示される。
予告編３０４が表示された後、メインメニュー３０６が表示され、ユーザが前記ＤＶＤと相互作用し、視聴選択を行えるようになる。
　【００２２】
　メインメニュー３０６は、当業者によって既知の任意のビデオディスプレイにおいて表示されることができる。一実施例において、
メインメニュー３０６は、再生ボタン３０８と、シーン選択ボタン３１０と、設定ボタン３１２と、ボーナス材料ボタン３１４と、スニークピークボタン３１６とを表示する。
　
　これらの記載及び図３からすると、標準ＤＶＤ視聴モードにおいては、ＤＶＤの挿入時にメインメニュー３０６を表示するものの、このメインメニュー３０６は、「高速再生の選択肢及び標準再生の選択肢をユーザに提示することによってユーザとの相互作用を勧誘する」ものではない。
　加えて、標準ＤＶＤ視聴モードにおける起動時に表示されるメインメニュー３０６が、事前順序付け視聴モードによる再生後に表示される高速再生メインメニュー４３２のような「ユーザに、前記ＤＶＤを前記高速再生モード又は標準ＤＶＤ視聴モードのいずれにおいて視聴するかの選択を与える」、あるいは、「高速再生の選択肢及び標準再生の選択肢をユーザに提示することによってユーザとの相互作用を勧誘する」を行うことは、当初明細書等から自明とはいえない。
　
　さらに、当初明細書の【００２０】、【００３１】〜【００３３】段落には、モードセレクタについて、次の記載がある。（なお、下線は当審にて付与した。）
「【００２０】
  上述したモードの選択は、命令集合セレクタによって行われることができる。一実施例において、前記ＤＶＤにおいて格納される、デフォルトモード及び異なったモード間を切り替えるルールを設定するコンピュータコードは、前記命令集合セレクタであってもよい。他の実施例において、前記命令集合セレクタは、
ユーザがどのモードがデフォルトモードなのかを決定する視覚的メニューであってもよい
「【００３１】
  図５は、命令集合選択システム５００が前記ＤＶＤのコンテンツを視聴するモードを選択する実施例を例示する。
モードセレクタ５０２は、視聴モードが、事前順序付けモード５０４又は標準モード５０６のどちらであるかを決定する。モードセレクタ５０２は、事前順序付けモード５０４又は標準モード５０６のいずれかをデフォルトモードとして設定することができる。さらに、ユーザは、モードセレクタ５０２に要求を提出し、モードを変更することができる
【００３２】
  前記モードセレクタが前記事前順序付けモードを視聴モードとして設定すると、ユーザは、前記ＤＶＤに格納されたコンテンツの配列を、前記ＤＶＤと相互作用することなく、自動的に視聴することができる。一実施例において、前記事前順序付けモードは設定され、予告編５０８、映画５１０、ボーナス材料５１２、ゲーム５１４及びスニークピーク５１６を再生する。前記配列のコンテンツは、前記ＤＶＤに格納されたコンテンツの一部であってもよく、前記ＤＶＤに格納されたコンテンツの全体であってもよい。前記コンテンツの一部が前記事前順序付けモードに関して選択される場合、前記選択は、消費者ベース調査を含むがこれに限定されない任意の数の因子に基づくことができる。例えば、特定のボーナス材料は、ユーザが視聴したいボーナス材料の形式に関する消費者ベース調査に従って選択されることができる。一実施例において、前記消費者ベース調査は、人口統計に基づくことができる。前記事前決定モードにおけるコンテンツの実際の順序付けも、消費者ベース調査に基づくことができる。人口統計は、前記事前決定モードにおけるコンテンツの順序付けを決定するのにも使用されることができる。
【００３３】
  
モードセレクタ５０２によって選択されるモードが標準モード５０６である場合、予告編５１８が表示され、メインメニュー５２０が続く
　
　これらの記載及び図５からすると、モードセレクタは、視聴モードが、事前順序付けモード又は標準モードのどちらであるかを起動時に決定することができ、また、ユーザは、モードセレクタに要求を提出し、視覚的メニューによりデフォルトモードを変更することができるものである。
　しかしながら、上記「視覚的メニューによりデフォルトモードを変更すること」について、起動時に行われるのか、それとも起動時以外の時点で行われる（例えば、起動時以外の時点で視覚的メニューによりデフォルトモードを変更し、そのデフォルトモードを次回の起動時から使用する）のかは、当初明細書等には記載されていない。
　しかも、「モードセレクタ５０２によって選択されるモードが標準モード５０６である場合、予告編５１８が表示され、メインメニュー５２０が続く。」（【００３３】段落）からすれば、起動時にモードセレクタが動作する時点では、メインメニューは表示されていない。
　
　また、当初明細書等の他の記載を精査しても、「起動時に、
高速再生の選択肢及び標準再生の選択肢をユーザに提示することによってユーザとの相互作用を勧誘する
　よって、本件補正における請求項１において「起動時に、
高速再生の選択肢及び標準再生の選択肢をユーザに提示することによってユーザとの相互作用を勧誘する
　
　してみれば、本件補正は、当初明細書等に記載した事項の範囲内においてしたものと認めることができない。
　
３．目的外補正について
　仮に、上記「２．」で指摘した「起動時に、
高速再生の選択肢及び標準再生の選択肢をユーザに提示することによってユーザとの相互作用を勧誘する
　
　本件補正は、次の補正事項を含む。
（ア）補正前の請求項１に係る発明が備える「単一メディアのメインメニュー」について、「単一メディアの」を削除する補正事項。
　
（イ）補正前の請求項１に係る発明が備える「メインメニュー」について、「
高速再生の選択肢及び標準再生の選択肢をユーザに提示することによってユーザとの相互作用を勧誘する
　
（ウ）補正前の請求項１に係る発明が備える「表示開始後」について、「表示後」という等価な表現に置換する補正事項。
　
（エ）補正前の請求項１に係る発明が備える「再生を、割り込みなしに」について、「再生を、
高速再生で
　
（オ）補正前の請求項１，３，４，１１，２３，２７に係る発明が備える「フィーチャ・プレゼンテーション」について、「フィーチャ・プレゼンテーション
の動画像
　
（カ）補正前の請求項２，９，１５に係る発明が備える「予告編」について、「予告編
の動画像
　
（キ）補正前の請求項３，１０，１６に係る発明が備える「スニークピーク」について、「スニークピーク
の動画像
　
（ク）補正前の請求項４に係る発明が備える「アウトテイク」について、「アウトテイク
の動画像
　
（ケ）補正前の請求項５に係る発明が備える「複数のデータブロックが格納されたメディア」及び「前記メディアの複数のデータブロック」について、それぞれ、「複数のデータブロックが格納されたメディア
であって、前記複数のデータブロックがフィーチャ・プレゼンテーションの動画像を含むメディア
前記フィーチャ・プレゼンテーションの動画像を含む前記
　
（コ）補正前の請求項５に係る発明が備える「前記メディアプレイヤへの前記メディアの挿入時に、ユーザとの相互作用なしに、前記メディアの複数のデータブロックを、予め決められた順序で割り込みなしに再生することを前記メディアプレイヤに命令するための第１命令集合」について、「前記メディアプレイヤへの前記メディアの挿入時に、ユーザとの相互作用なしに、前記メディアの」「複数のデータブロックを、予め決められた順序で割り込みなしに
高速再生で
の高速再生
　
（サ）補正前の請求項５に係る発明が備える「前記メディアの複数のデータブロックを再生する順序を決定するユーザコマンドに応じて、前記メディアの複数のデータブロックを再生することを前記メディアプレイヤに命令するための第２命令集合」について、「前記メディアの
前記
応答して
前記
標準再生で
の標準再生
　
（シ）補正前の請求項８，１４に係る発明が備える「映画」について、「映画
の動画像
　
（ス）請求項１１に係る発明に「
メディアプレイヤへの前記メディアの挿入時に、高速再生の選択肢及び標準再生の選択肢を提供するメニューをユーザに対して表示するステップと、
　
（セ）補正前の請求項１１に係る発明が備える「前記メディアの複数のデータブロックを、予め決められた順序で割り込みなしに、ユーザとの相互作用なしに自動的に再生するステップ」について、「
前記メディアプレイヤへの前記メディアの挿入時から予め決められた時間内に、前記高速再生の選択肢も前記標準再生の選択肢もユーザによって選択されない場合に、
前記フィーチャ・プレゼンテーションの動画像を含む前記
ユーザとの相互作用なしに自動的に、
高速再生で
　
（ソ）補正前の請求項１１，１７，１８，２０〜２２，２７，２８に係る発明が備える「前記メディアの複数のデータブロック」について、「前記メディアの
前記
　
（タ）補正前の請求項１１に係る発明が備える「メニューをユーザに提供して」について、「メニューをユーザに
提示
　
（チ）補正前の請求項１１に係る発明が備える「ユーザが選択できるようにする」について、「ユーザが」を削除する補正事項。
　
（ツ）補正前の請求項１１に係る発明が備える「ユーザの前記メニューからの選択に応答して、前記メディアの複数のデータブロックを再生するステップ」について、「ユーザ
による
ユーザが選択した
前記
標準再生で
　
（テ）補正前の請求項１７に係る発明が備える「メディアプレイヤへのメディアの挿入時に、メディアの複数のデータブロックを、ユーザとの相互作用なしにユーザフレンドリな方法で再生する方法において」及び「前記メディアの複数のデータブロック」について、それぞれ、「メディアプレイヤへのメディアの挿入時に、
前記
であって、前記複数のデータブロックがフィーチャ・プレゼンテーションの動画像を含む
前記フィーチャ・プレゼンテーションの動画像を含む前記
　
（ト）補正前の請求項１７に係る発明が備える「起動時」について、「前記挿入時」とする補正事項。
　
（ナ）補正前の請求項１７に係る発明が備える「視聴すべき前記メディアの複数のデータブロックを選択する単一のメインメニュー」について、「視聴すべき前記メディアの」「複数のデータブロックを選択する
ための
　
（ニ）補正前の請求項１７に係る発明が備える「複数のデータブロックを予め決められた順序で割り込みなしに再生するための第１メニュー選択肢」及び「前記第１メニュー選択肢」について、それぞれ、「複数のデータブロックを予め決められた順序で割り込みなしに
高速再生で
の高速再生の
の高速再生の
　
（ヌ）補正前の請求項１７に係る発明が備える「複数のデータブロックの部分集合を対話的に視聴するためのユーザ定義可能な第２メニュー選択肢」及び「前記第２メニュー選択肢」について、それぞれ、「複数のデータブロックの部分集
合の
対話的視聴を行うための第２の標準再生の
の標準再生の
　
（ネ）補正前の請求項１７に係る発明が備える「複数のデータブロックを、前記第１メニュー選択肢に対応する予め決められた順序で割り込みなしに自動的に再生する」について、「複数のデータブロックを
自動的に
前記
高速再生で
　
（ノ）補正前の請求項１８に係る発明が備える「ユーザから入力を受けると」について、「ユーザから
の
受信すると
　
（ハ）補正前の請求項１９に係る発明が備える「ユーザが視聴したい前記メディアの複数のデータブロック、又は、前記メディアの複数のデータブロックの前記予め決められた順序での視聴を続けること」について、「ユーザが視聴したい前記メディアの
前記
を視聴すること
前記
　
（ヒ）補正前の請求項２３に係る発明が備える「命令の第１集合にしたがって」について、「命令の第１集合
に従って
　
（フ）補正前の請求項２３に係る発明が備える「第１モード」について、「
高速再生の選択肢及び標準再生の選択肢を提供する
　
（ヘ）補正前の請求項２３に係る発明が備える「ユーザとの相互作用なしに、前記メディアのコンテンツを予め決められた順序で表示する命令」について、「ユーザとの相互作用なしに、前記メディアの
前記フィーチャ・プレゼンテーションを含む
、
前記高速再生の選択肢に従って
　
（ホ）補正前の請求項２３に係る発明が備える「ユーザ入力の受信に応答して第２モードを選択するステップ」について、「
前記標準再生の選択肢を選択する
　
（マ）補正前の請求項２３に係る発明が備える「前記第２モードにおいて、ユーザが選択した命令の第２集合にしたがって前記メディアのコンテンツを表示する」について、「前記第２モードにおいて、ユーザが選択した命令の第２集合
に従って、
標準再生の選択肢に従って
　
（ミ）補正前の請求項２７に係る発明が備える「前記メディアプレイヤによるメディアの受入時に、前記メディアの複数のデータブロックを予め決められた順序で割り込みなしに自動的に再生する」について、「前記メディアプレイヤによるメディアの受入時に、
高速再生の選択肢及び標準再生の選択肢を提供するメニューを表示し、前記高速再生の選択肢も前記標準再生の選択肢もユーザによって選択されない場合に自動的に、
高速再生で
　
（ム）補正前の請求項２７に係る発明が備える「前記メディアの複数のデータブロックを再生する順序を決定するユーザコマンドに応答して、前記メディアの複数のデータブロックを再生することを、前記メディアプレイヤに命令するための命令の第２集合」について、「
前記標準再生の選択肢がユーザによって選択された場合に、
前記
前記
標準再生で
る命
　
（メ）補正前の請求項２８に係る発明が備える
「前記メディアプレイヤによるメディアの受入時に、前記メディアの複数のデータブロックを予め決められた順序で割り込みなしに自動的に再生することを、前記メディアプレイヤに命令するための命令の第１集合であって、前記メディアの複数のデータブロックはフィーチャ・プレゼンテーションを含み、前記予め決められた順序は、ユーザコマンドを必要としない固定順序である命令の第１集合」
について、
「前記メディアプレイヤによるメディアの受入時に、
高速再生の選択肢及び標準再生の選択肢を提供するメニューを表示し、予め決められた時間内に前記高速再生の選択肢も前記標準再生の選択肢もユーザによって選択されない場合に自動的に前記高速再生の選択肢を選択して、
自動的に、
高速再生で
前記
、
の動画像
、ユ
とする補正事項。
　
（モ）補正前の請求項２８に係る発明が備える「複数のデータブロックを再生する順序を決定するユーザコマンドに応答して、前記メディアの複数のデータブロックを再生する」について、「複数のデータブロックを再生する順序を決定するユーザコマンドに応答して、前記メディアの複数のデータブロックを
標準再生
　
　補正事項（ア）は、補正前の請求項１に係る発明が備える「単一メディアのメインメニュー」について、「単一メディアの」を削除するものであり、これにより、請求項１に係る発明は、補正前には、「ＤＶＤボックスセットにおける複数のＤＶＤにおける異なったコンテンツに関するインデックス」（本願の明細書【００３４】段落参照。）を備えたメインメニューが包含されないのに対し、補正後には、そのようなメインメニューが包含されるものとなった。
　してみれば、補正事項（ア）は、特許請求の範囲を拡張するものであり、特許請求の範囲の減縮を目的とするものに該当しない。
　また、補正前の「単一メディアのメインメニュー」について、明りょうでない旨の拒絶の理由は通知されておらず、加えて、補正前の「単一メディアのメインメニュー」は、明りょうでない記載とはいえないから、補正事項（ア）は、明りようでない記載の釈明（拒絶理由通知に係る拒絶の理由に示す事項についてするものに限る。）にも該当しない。
　さらに、補正事項（ア）は、請求項の削除、誤記の訂正のいずれかを目的とするものにも該当しない。
　よって、補正事項（ア）は、特許法第１７条の２第４項各号に掲げるいずれの事項をも目的とするものではない。
　
４．本件補正についてのむすび 
　以上のとおり、本件補正は、特許法第１８４条の１２第２項において読み替えられる同法第１７条の２第３項の規定に違反するものであって、同法第１５９条第１項で読み替えて準用する同法第５３条第１項の規定により却下すべきものである。
　また、本件補正は、仮に、特許法第１８４条の１２第２項において読み替えられる同法第１７条の２第３項の規定に適合すると認められる場合であっても、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
　なお、請求人は、平成２１年６月１７日付け上申書及び平成２２年１０月８日付け回答書において補正案を提示している。
　しかしながら、本願については、特許請求の範囲について手続補正をすることのできる時期を過ぎており、また、補正の機会を与えるべき理由もない。
　
　
第３　本願発明
１．本願発明
　平成２０年４月２日付けの手続補正は上記のとおり却下されたので、本願の請求項１に係る発明は、平成１９年１０月２４日付けの手続補正書により補正された特許請求の範囲の請求項１に記載された事項によって特定されるとおりのものであるところ、請求項１に係る発明(以下、「本願発明」という。)は、上記「第２［理由］　１．本件補正　（ａ）」に本件補正前の請求項１として記載したとおりである。 
　
２．引用例
　原査定の拒絶の理由に引用された特開２００１−３５２５２３号公報（平成１３年１２月２１日公開、以下「引用例」という。)には、図面と共に次の事項が記載されている。(なお、下線は当審で付した。)
　
「【０００１】
【発明の属する技術分野】
この発明は、記録媒体に記録されている映像を再生する映像再生装置に関する
【０００２】
【従来の技術】図１１は従来の映像再生装置における光ディスクであるＤＶＤ（デジタル・ビデオ・ディスク）再生の操作手順示す図である。ＤＶＤは直径１２ｃｍの光ディスクであり、ＣＤ（コンパクト・ディスク）の１０倍近い記録容量があり、例えば再生時間が１０分乃至１５分程度の料理のレシピであれば１０種類程度の映像を記録できる。あるいは、４０分程度の短編映画なら約３種類の映画を記録できる。さらに将来は、より短波長の半導体レーザの開発等により記録容量の増大が期待され、長編の映画が複数種類記録できる日も遠くはない。
【０００３】次に動作について説明する。映像再生装置に複数種類の映像が記録されている光ディスクを挿入すると、最初にナビゲーション情報を取得して、そのナビゲーション情報に従って、各映像のクレジット映像、すなわち料理のレシピであればインストラクタの名前等の字幕が表示され、映画の場合には、題名、俳優、監督等の字幕が表示される。クレジット映像に続いて、記録されている映像の数に対応して、タイトルメニューのメニュー映像が表示される。
【０００４】３本の映画が記録されている場合には、図にしめすように、タイトル１、タイトル２、タイトル３が表示される。この場合に、タイトル１の表示が再生候補のデフォルトとして反転表示される。このメニュー映像においてユーザの操作を待つ。ここでユーザによる下向きボタンの選択がなされると、タイトル２の表示が再生候補として反転表示される。そして、ユーザ操作（ボタンの選択及び決定）の待機状態となる。この待機状態において、下向きボタン又は上向きボタンが選択されると、再生候補となる映像のタイトルが切り替わる。この待機状態において決定ボタンが選択されると、メニュー映像の再生候補のタイトル（図ではタイトル２）がさらに点滅等により強調され、そのタイトルの映像の再生が実行される。
【０００５】
【発明が解決しようとする課題】従来の映像再生装置は以上のように、ユーザのキー操作の介入を得ながら、ナビゲーション情報に従って映像を再生するように構成されているので、メニュー映像を表示した状態では、ユーザの操作がされない限り再生が継続されないという課題があった。例えば、ユーザが料理やその他手でものを作るような作業をしながらレシピの映像や映画を見ている場合に、１つの映像の再生が終了して次の映像を再生したい場合には、作業を中断して手を洗った後に、キー操作をしなければならず煩わしかった。
【０００６】この発明は上記のような課題を解決するためになされたもので、ユーザの操作がない場合でも、自動的に映像を再生できる映像再生装置を得ることを目的とする。」
　
「【００１５】
【発明の実施の形態】以下、この発明の実施の一形態を説明する。
実施の形態１.図１は、この発明の実施の形態１における映像再生装置を用いたシステムの構成を示すブロック図であり、図において、１は映像再生装置、２は光ディスク（記録媒体）、３は読取部（読出手段）、４は切換器、５はナビゲーション制御部（指令制御手段）、６はユーザ操作管理部（管理制御手段）、６ａはメモリ（記憶手段）、７は操作部（操作手段）、８は映像再生制御部、９は表示装置である。また、図２は映像再生装置１の動作を示すメインルーチンのフローチャート、図３及び図４はそのサブルーチンのフローチャート、図５は映像再生装置１における光ディスク再生の操作手順示す図である。
【００１６】
次に動作について説明する。
この光ディスク２には、再生される映像情報のほかにその記録されている映像情報をどのように再生するかをガイドするナビゲーション情報が記録されている
【００１７】最初は、ナビゲーション制御部５側に読取情報ａが出力するような切換制御信号ｊが与えられる。この場合には、読取情報ａの内容はナビゲーション情報であり、切換器４からはそのナビゲーション情報ｂがナビゲーション制御部５に出力される。したがって、図２のフローにおいて、ナビゲーション制御部５はそのナビゲーション情報ｂを取得する（ステップＳＴ１１）。次に、取得したナビゲーション情報ｂから抽出した再生制御情報と、ユーザ操作管理部６からのユーザ操作情報ｅとを分離する（ステップＳＴ１２）。この場合には、再生制御情報が優先される。
【００１８】ナビゲーション制御部５は、再生制御情報に基づいて、映像再生制御部８側に読取信号ａが出力するような切換制御信号ｊを切換器４に与え、再生制御情報ｆを映像再生制御部８に与える。この場合の読取情報ａの内容は映像情報であり、切換器４からはその映像情報ｃが映像再生制御部８に出力される。したがって、映像再生制御部８は、再生制御情報ｆに従って映像の再生を行い、映像信号を表示装置９に出力する（ステップＳＴ１３）。
【００１９】すなわち、図５に示すように、
光ディスク２が挿入されてスタートボタンが操作されると、クレジット映像を再生して表示装置９に出力した後、タイトルメニューを再生してメニュー映像を表示装置９に出力する
メニュー映像の映像信号の出力が終了すると、
【００２０】ナビゲーション制御部５は、映像再生制御部８から再生終了を示す状態情報ｇが入力されると、ユーザ操作管理部６に操作手順の要求情報ｄを与える。ユーザ操作管理部６は、この要求情報ｄに応答して操作情報処理を実行する（ステップＳＴ１５）。この操作情報処理を図３に示す。まず、
操作部７からの操作入力情報ｈを監視し、ユーザがキー操作を行ったか否かを判別する（ステップＳＴ２１）
【００２１】
ステップＳＴ２１においてユーザのキー操作がない場合、又はステップＳＴ２２において選択できるキー操作でなく無効なキー操作である場合には、一定時間が経過したか否かを判別する（ステップＳＴ２４）
【００２２】この一定時間は、ユーザがキー操作を行うに十分な時間であり、デフォルトとして例えば１０秒程度に設定されている。この一定時間は、ユーザの操作により、０秒から数１０秒程度まで自在に設定することができる。０秒に設定されている場合にはユーザの操作は無視され、スタートキー操作に応じて完全な自動再生システムを構成する。したがって、連続再生のプログラムをメモリ６ａにプリセットすれば、デモンストレーションで複数の映像を連続的に再生する場合には効果がある。
【００２３】
ステップＳＴ２４において一定時間が経過したときは、
光ディスク２のナビゲーション情報に従って
ナビゲーション制御部５に対して自動キー操作（第２の操作手順）の発行を行う（
【００２４】図２のフローにおいて、ナビゲーション制御部５は、ユーザ操作管理部６からキー操作の発行があるか否かを判別し（ステップＳＴ１６）、発行がない場合にはステップＳＴ１５に移行して、ユーザ操作管理部６に操作情報処理を実行させる。ユーザ操作管理部６からキー操作の発行があったとき、すなわち、ユーザによって指定されたキー操作又はメモリ６ａにデフォルトとして設定されている
自動キー操作の発行があったときは、そのキー操作に応じた処理を行う
【００２５】メモリ６ａに設定されている自動キー操作、すなわち光ディスク２のナビゲーション情報が下向きボタン及び決定ボタンを操作する操作手順に従うという自動キー操作である場合には、図５に示すように、
メニュー映像が表示された後、ユーザ操作（ボタンの選択及び決定）の待機状態になり、一定時間が経過してもユーザのキー操作がない場合には、ナビゲーション制御部５は、ユーザ操作管理部６からの自動キー操作の発行に応じて、メニュー映像の再生候補のタイトル２の表示がさらに点滅等により強調され
タイトル２の映像の再生が実行される
【００２６】実際には、光ディスク２のナビゲーション情報は装置側の操作キーを意識している訳ではないが、装置側から見ればナビゲーション情報に再生手順が含まれており、メモリ６ａのデフォルトとしてこの再生手順に従うというプログラムが記憶されているので、間接的にはメモリ６ａに自動キー操作としての操作手順がデフォルトとして記憶されているのと等価である。
【００２７】以上のように、この実施の形態１によれば、読取部３は、光ディスク２に記録されている映像を読出指令ｉに応じて読み出す。ユーザ操作管理部６は、操作部７及びメモリ６ａを管理し、操作部７からユーザによるキー操作が入力されたときはユーザによって指定されたキー操作の第１の操作手順を出力し、操作部７からユーザによるキー操作が入力されない場合には、メモリ６ａに記憶されているデフォルトの第２の操作手順を読み出して出力する。ナビゲーション制御部５は、ユーザ操作管理部６から出力された第１の操作手順又は第２の操作手順に応じた読出指令ｉを読取部３に与える。
したがって、ユーザの操作がない場合でも、自動的に映像を再生できる
【００２８】また、上記実施の形態１によれば、メモリ６ａは、あらかじめ第２の操作手順をデフォルトの操作手順すなわちナビゲーション情報の再生手順に従うプログラムとして記憶しているので、操作に不慣れなユーザがキー操作をできない場合でも、自動的に映像を再生することができるという効果が得られる。
【００２９】また、上記実施の形態１によれば、ナビゲーション制御部５は、映像再生制御部８から再生終了を示す状態情報ｇが入力されると、ユーザ操作管理部６に操作手順の要求情報ｄを与える。この結果、ユーザ操作管理部６は、映像の再生が静止状態の場合に第１の操作手順及び第２の操作手順を有効として出力するので、ナビゲーション制御部５は、映像の再生中においては再生制御動作に専念することができ、効率的な制御を行えるという効果が得られる。」
　
　上記記載事項及び図面を総合勘案して、映像再生装置の動作についてまとめると、引用例には、次の発明(以下、「引用発明」という。)が記載されていると認める。
「記録媒体に記録されている映像を再生する映像再生装置の動作であって、
　光ディスクが挿入されてスタートボタンが操作されると、クレジット映像を再生して表示装置に出力した後、タイトルメニューを再生してメニュー映像を表示装置に出力し、
　メニュー映像の映像信号の出力が終了すると、操作部からの操作入力情報を監視し、ユーザがキー操作を行ったか否かを判別し、
　ユーザのキー操作がない場合には、一定時間が経過したか否かを判別し、
　一定時間が経過したときは、ナビゲーション制御部に対して自動キー操作の発行を行い、
　自動キー操作の発行があったときは、そのキー操作に応じた処理を行い、タイトルの映像の再生が実行される
映像再生装置の動作。」
　
３．対比
（１）引用発明の「映像再生装置」は、本願発明の「メディアプレイヤ」に相当する。
　
（２）引用発明の「記録媒体」及び「光ディスク」は、本願発明の「メディア」に相当する。
　
（３）引用発明の「映像」は、本願発明の「コンテンツ」に相当する。
　
（４）引用発明の「記録媒体に記録されている映像を再生する映像再生装置の動作」は、記録媒体に記録されている映像を再生する方法の発明として把握できるから、本願発明の「メディアのコンテンツを」「再生する方法」に相当する。
　
（５）引用発明の「タイトルメニューを再生してメニュー映像を表示装置に出力し」は、タイトルメニューによるメニュー映像がメインメニューであることは明らかであるから、本願発明の「メインメニューを表示し」に相当する。
　
（６）引用発明の「メニュー映像の映像信号の出力が終了すると」は、引用例の段落【００２５】からすれば、その後もメニュー映像が表示されているから、メニュー映像を表示し始める映像信号の出力が終了することを意味すると解されるので、本願発明の「該メニューの表示開始後に」に相当する。
　
（７）引用発明の
「操作部からの操作入力情報を監視し、ユーザがキー操作を行ったか否かを判別し、
　ユーザのキー操作がない場合には、一定時間が経過したか否かを判別し」
からすれば、引用発明は、本願発明の「予め決められたタイムアウトが存在する」を備えている。
　
（８）引用発明の
「タイトルメニューを再生してメニュー映像を表示装置に出力し、
　メニュー映像の映像信号の出力が終了すると、操作部からの操作入力情報を監視し、ユーザがキー操作を行ったか否かを判別し、
　ユーザのキー操作がない場合には、一定時間が経過したか否かを判別し」
は、本願発明の
「メインメニューを表示し、該メニューの表示開始後に、予め決められたタイムアウトが存在するステップ」
に相当する。
　
（９）引用発明の「ユーザのキー操作がない場合」は、本願発明の「ユーザとの相互作用が何もなしに」に相当する。
　
（１０）引用発明の「一定時間が経過」は、本願発明の「前記予め決められたタイムアウトが経過」に相当する。
　
（１１）本願発明の「フィーチャ・プレゼンテーション」は、本願の明細書からすれば、主要なコンテンツ（例えば、映画のＤＶＤの場合には、映画。）を指すと解される。
　すると、引用発明の「タイトルの映像の再生」は、「タイトルの映像」が「記録媒体に記録されている映像」に含まれる主要なコンテンツであることは明らかであるから、本願発明の「フィーチャ・プレゼンテーションを含む前記メディアのコンテンツの再生」に相当する。
　
（１２）引用発明の
「ユーザのキー操作がない場合には、一定時間が経過したか否かを判別し、
　一定時間が経過したときは、ナビゲーション制御部に対して自動キー操作の発行を行い、
　自動キー操作の発行があったときは、そのキー操作に応じた処理を行い、タイトルの映像の再生が実行される」
は、ユーザによる操作を必要とせずに（すなわち、ユーザによる割り込みなしに）順次進められるから、本願発明の
「ユーザとの相互作用が何もなしに、前記予め決められたタイムアウトが経過した後に、フィーチャ・プレゼンテーションを含む前記メディアのコンテンツの再生を、割り込みなしに順次進めるステップ」
に相当する。
　
　したがって、本願発明と引用発明との＜一致点＞及び＜相違点＞は、次のとおりである。
　
＜一致点＞
「メディアのコンテンツを、再生する方法において、
　メインメニューを表示し、該メニューの表示開始後に、予め決められたタイムアウトが存在するステップと、
　ユーザとの相互作用が何もなしに、前記予め決められたタイムアウトが経過した後に、フィーチャ・プレゼンテーションを含む前記メディアのコンテンツの再生を、割り込みなしに順次進めるステップと
を含むことを特徴とする方法。」
　
＜相違点＞
（相違点１）
　コンテンツの再生につき、本願発明は、「メディアプレイヤへのメディアの挿入時に」前記メディアのコンテンツを「ユーザとの相互作用なしに自動的に」再生するのに対し、引用発明は、「光ディスクが挿入されてスタートボタンが操作される」時に、「スタートボタンが操作される」というユーザとの相互作用を伴って再生される点。
　
（相違点２）
　メインメニューの表示につき、本願発明は「起動時に」表示するのに対し、引用発明は、「光ディスクが挿入されてスタートボタンが操作されると、クレジット映像を再生して表示装置に出力した後」に表示する点。
　
（相違点３）
　メインメニューにつき、本願発明は「単一メディアの」メインメニューであるのに対し、引用発明は、そのような特定がない点。
　
４．判断 
 　上記相違点について検討する。
（１）相違点１について
　メディアプレイヤへのメディアの挿入時に、スタートボタンを操作することなく（すなわち、ユーザとの相互作用なしに）、自動的に再生を始めることは周知技術（例えば、拒絶査定時にすでに示した特開２００２−７４９１３号公報をはじめ、
特開平１０−２６９６８７号公報の段落【００２８】に記載の「ディスクＤがローディングされた時には再生動作が自動的に開始されるように設定されている」、
廣島洋一、「ＤＶＤ制作への挑戦　ＤＶＤオーサリング入門　８」、ビデオα、写真工業出版社、平成１２年１１月１日、第１６巻、第１１号、ｐｐ．６９〜７２の第７０頁右欄第１〜８行目に記載の「一番上のファーストプレープレースフォルダーは、完成したディスクをプレーヤーに挿入したときに自動的に再生の始まるメニュー、またはムービーのことを指し、市販されているＤＶＤソフトのように、違法コピーを禁止する警告のメッセージが表示されるのがこれである。」、
滝川政一、「パソコンでＤＶＤ−Ｖｉｄｅｏの再生を可能にするソフトウェア　ＷｉｎＤＶＤ　カノープス」、ＰＣ　ＷＯＲＫ！、株式会社毎日コミュニケーションズ、平成１１年５月１８日、第６巻、第５号、ｐｐ．１０７の第１０７頁中欄第４〜６行目に記載の「さらに、ＤＶＤ−Ｖｉｄｅｏをドライブに挿入した際に、自動的に再生を開始するように設定することも可能だ。」）
であり、引用発明の「光ディスクが挿入されてスタートボタンが操作されると」再生を始める点を、上記周知技術に置き換えることは、当業者が容易に想到し得ることである。
　この場合、「スタートボタンが操作される」という「ユーザとの相互作用」がなくなることは明らかである。
　
（２）相違点２について
　本願発明の「起動時に」は、何の起動時なのか特定されていないが、「メディアプレイヤへのメディアの挿入時に、前記メディアのコンテンツを、ユーザとの相互作用なしに自動的に再生する方法において」、及び、明細書からすれば、メディアプレイヤの起動時（すなわち、メディアプレイヤの電源投入時。）ではなく、メディアプレイヤへのメディアの挿入時の、再生（処理）の起動時を意味するものと解される。
　また、本願明細書の【００２１】段落等からすれば、メインメニューが表示される前に、警告や予告編が表示されるから、本願発明の「起動時」は、起動した瞬間の時点ではなく、起動から警告や予告編の表示が終了するまで程度の時間帯（あるいは、コンテンツ全体の再生時間からみて、起動時といって差し支えない時間帯。）を意味するものと解される。
　すると、引用発明の「光ディスクが挿入されてスタートボタンが操作されると、クレジット映像を再生して表示装置に出力した後、タイトルメニューを再生してメニュー映像を表示装置に出力し」に、相違点１について検討したように、メディアプレイヤへのメディアの挿入時に、自動的に再生を始める周知技術を採用した場合、メニュー映像の表示は「起動時に」行われることは明らかである。
　
（３）相違点３について
　映像を記録した記録媒体におけるメニューを、「単一メディア」毎に設けることは例示するまでもなく慣用技術であり、引用発明のメニューに上記慣用技術を採用することは当業者が容易に想到し得ることである。
　
（４）効果について
　上記各相違点を総合的に判断しても、本願発明の効果は、引用発明、周知技術及び慣用技術から当業者が十分に予測可能なものであって、格別顕著なものがあるとはいえない。
　
（５）本願発明の容易想到性についてのむすび
 　したがって、本願発明は、引用例に記載された発明、周知技術及び慣用技術に基づいて当業者が容易に発明をすることができたものであるから、特許法第２９条第２項の規定により特許を受けることができないものである。
　
５．むすび
　以上のとおりであるから、本願の請求項１に係る発明は、特許法第２９条第２項の規定により特許を受けることができないものである。 
　したがって、その余の請求項について論及するまでもなく、本願は、拒絶すべきものである。
　
　よって、結論のとおり審決する。